(57)【要約】【課題】建物躯体の内壁面に対する接着剤を利用した石膏ボード等の内装ボードの取り付けにおいて、取付施工を極めて容易に効率よく行え、接着剤を無駄なく使用でき、均一で大きな固定強度が得られる手段を提供する。【解決手段】内装ボード１の背面１ｂ側複数箇所に、多孔板状の接着剤受け片２…が内装ボード１の背面１ｂにほぼ沿うように止着され、接着剤受け片２…に盛り付けられた接着剤３…を介して内装ボード１が建物躯体４の内壁面４１ａに固着されてなる。【選択図】図３
2007132012.tif 000002
【特許請求の範囲】
【請求項１】
内装ボードの背面側複数箇所に、多孔板状の接着剤受け片が該内装ボードの背面にほぼ沿うように止着され、これら接着剤受け片に盛り付けられた接着剤を介して当該内装ボードが建物躯体の内壁面に固着されてなる内装ボードの取付構造。
【請求項２】
建物躯体の内壁面に軽量鉄骨下地を介して内装ボードが取り付けられた構造において、前記軽量鉄骨下地のフレームの背面側複数箇所に、多孔板状の接着剤受け片が該フレームの背面にほぼ沿うように止着され、これら接着剤受け片に盛り付けられた接着剤を介して当該フレームが建物躯体の内壁面に固着されてなる内装ボードの取付構造。
【請求項３】
接着剤受け片が感圧接着層を介して止着されてなる請求項１又は２に記載の内装ボードの取付構造。
【請求項４】
接着剤受け片は下部が接着剤盛付け側へ迫り出した形状である請求項１〜３のいずれかに記載の内装ボードの取付構造。
【請求項５】
接着剤受け片は、下部側の孔径が上部側の孔径よりも平均的に小さく設定されてなる請求項４記載の内装ボードの取付構造。
【請求項６】
内装ボードの背面側複数箇所に、多孔板状の接着剤受け片を該内装ボードの背面にほぼ沿うように止着し、これら接着剤受け片にパテ状の接着剤を盛り付けた上で、この内装ボードの背面側を建物躯体の内壁面に押接することにより、各接着剤受け片の接着剤を該内壁面と内装ボード背面とに被着させる共に、その接着剤が硬化するまでの間の内装ボードを、床部と天井部との間に突っ張り固定させたスライド伸縮定規の当接によって直立状態に保持することを特徴とする内装ボードの取付方法。
【請求項７】
内装ボードを取り付ける建物躯体の内壁面に臨む床部と天井部に軽量鉄骨下地用のランナーを固着し、これら上下のランナー間に嵌装する軽量鉄骨下地のフレームの背面側複数箇所に、多孔板状の接着剤受け片を該フレームの背面にほぼ沿うように止着し、これら接着剤受け片にパテ状の接着剤を盛り付けた上で、このフレームを上下ランナー間に嵌装すると共に、該フレームの背面側を建物躯体の内壁面に押接することにより、各接着剤受け片の接着剤を該内壁面とフレーム背面とに被着させ、その接着剤の硬化後に当該軽量鉄骨下地の前面に内装ボードを取り付けることを特徴とする内装ボードの取付方法。
【発明の詳細な説明】
【技術分野】
【０００１】
本発明は、建物躯体のＲＣ、ＡＬＣ、モルタル、ブロック等よりなる内壁に対する石膏ボード等の内装ボードの取付構造及び取付方法に関する。
【背景技術】
【０００２】
従来、建物躯体のコンクリート内壁等に内装用の石膏ボードを取り付ける手段として、ＧＬ（Ｇｙｐｓｕｍ  Ｌｉｎｉｎｇ）工法が多用されている。このＧＬ工法では、セメント系の接着剤粉末を水で練り合わせ、これを団子状にして建物内壁面の要所に付着させ、その上から石膏ボードを押し付けて該接着剤の硬化によって固定するから、下地骨組みが不要であり、それだけ施工が簡素化されるという利点がある。
【０００３】
しかしながら、このようなＧＬ工法では、水練りした接着剤を建物内壁面に団子状に付着させるのに非常に労力を要する上、付着させた接着剤が垂れ落ちし易いことから、その修正にも手間がかかると共に、垂れ落ち分の補充によって接着剤使用量が多くなり、しかも付着状態、つまり付着量、団子状の高さ、付着間隔等を均一にすることが困難であるため、固定強度のバラツキが大きいという難点があった。
【発明の開示】
【発明が解決しようとする課題】
【０００４】
本発明は、上述の情況に鑑み、建物躯体の内壁面に対する接着剤を利用した石膏ボード等の内装ボードの取り付けにおいて、取付施工を極めて容易に効率よく行え、且つ接着剤を無駄なく使用できる上に均一で大きな固定強度が得られる手段を提供することを目的としている。
【課題を解決するための手段】
【０００５】
上記目的を達成するために、本発明の請求項１に係る内装ボードの取付構造は、図面の参照符号を付して示せば、内装ボード１の背面１ｂ側複数箇所に、多孔板状の接着剤受け片２…が該内装ボード１の背面１ｂにほぼ沿うように止着され、これら接着剤受け片２…に盛り付けられた接着剤３…を介して当該内装ボード１が建物躯体４の内壁面４１ａに固着されてなるものとしている。
【０００６】
また、本発明の請求項２に係る内装ボードの取付構造は、建物躯体４の内壁面４１ａに軽量鉄骨下地５を介して内装ボード１が取り付けられた構造において、前記軽量鉄骨下地５のフレーム５１，５２の背面５１ｂ，５２ｂ側複数箇所に、多孔板状の接着剤受け片２…が該フレーム５１，５２の背面５１ｂ，５２ｂにほぼ沿うように止着され、これら接着剤受け片２…に盛り付けられた接着剤３…を介して当該フレーム５１，５２が建物躯体４の内壁面４１ａに固着されてなるものとしている。
【０００７】
請求項３の発明は、上記請求項１又は２の内装ボードの取付構造において、接着剤受け片２が感圧接着層６を介して止着されてなる構成としている。
【０００８】
請求項４の発明は、上記請求項１〜３のいずれかの内装ボードの取付構造において、接着剤受け片２…は下部２ｂが接着剤３盛付け側へ迫り出した形状としている。
【０００９】
請求項５の発明は、上記請求項４の内装ボードの取付構造において、接着剤受け片２は、下部２ｂ側の孔径が上部２ａ側の孔径よりも平均的に小さく設定されてなる構成としている。
【００１０】
一方、本発明の請求項６に係る内装ボードの取付方法は、内装ボード１の背面側複数箇所に、多孔板状の接着剤受け片２…を該内装ボード１の背面にほぼ沿うように止着し、これら接着剤受け片２…にパテ状の接着剤３を盛り付けた上で、この内装ボード１の背面１ｂ側を建物躯体４の内壁面４１ａに押接することにより、各接着剤受け片２の接着剤３を該内壁面４１ａと内装ボード背面１ｂとに被着させる共に、その接着剤３が硬化するまでの間の内装ボード１を、床部４２と天井部４３との間に突っ張り固定させたスライド伸縮定規７の当接によって直立状態に保持することを特徴としている。
【００１１】
更に請求項７に係る内装ボードの取付方法は、内装ボード１を取り付ける建物躯体４の内壁面４１ａに臨む床部４２と天井部４３に軽量鉄骨下地５用のランナー５３，５４を固着し、これら上下のランナー５３，５４間に嵌装する軽量鉄骨下地５のフレーム５１，５２の背面５１ｂ，５２ｂ側複数箇所に、多孔板状の接着剤受け片２…を該フレーム５１，５２の背面５１ｂ，５２ｂにほぼ沿うように止着し、これら接着剤受け片２…にパテ状の接着剤３を盛り付けた上で、このフレーム５１，５２を上下ランナー５３，５４間に嵌装すると共に、該フレーム５１，５２の背面５１ｂ，５２ｂ側を建物躯体４の内壁面４１ａに押接することにより、各接着剤受け片２の接着剤３を該内壁面４１ａとフレーム背面５１ｂ，５２ｂとに被着させ、その接着剤３の硬化後に当該軽量鉄骨下地の前面に内装ボード１を取り付けることを特徴としている。
【発明の効果】
【００１２】
請求項１の発明に係る内装ボードの取付構造では、内装ボードが接着剤を介して建物躯体の内壁面に固定されるが、該接着剤は内装ボードの背面側複数箇所に止着された接着剤受け片に盛り付けられる構成であり、この接着剤受け片が多孔板状で該接着剤を付着させ易いため、盛り付け操作を極めて容易に効率よく行えると共に付着状態を均一に設定でき、しかも盛り付けた接着剤の保持性がよく垂れ落ちを防止できるので、接着剤の無駄がなく補充の手間も要さない上、内装ボードを内壁面に押し付けた際に、接着剤受け片の孔部を通して接着剤が内装ボードの背面にも直接に被着するから、建物躯体の内壁と内装ボードとが硬化した接着剤層によって直接に接合され、且つ各接合部で強固に固着された状態となり、ボード全体に均一で大きな固定強度が得られる。
【００１３】
請求項２の発明に係る内装ボードの取付構造では、建物躯体の内壁面に軽量鉄骨下地を介して内装ボードが取り付けられるが、その軽量鉄骨下地のフレームの背面側複数箇所に多孔板状の接着剤受け片が止着され、これら接着剤受け片に盛り付けられた接着剤を介して当該フレームが建物躯体の内壁面に固着される構成であるから、建物躯体に対する軽量鉄骨下地の取付施工が極めて容易になる上、前記フレームを内壁面に押し付けた際に、接着剤受け片の孔部を通して接着剤が当該フレームの背面にも直接に被着するから、建物躯体の内壁と当該フレームとが硬化した接着剤層によって直接に接合され、軽量鉄骨下地ひいてはこれに取り付けられる内装ボードとして均一で大きな固定強度が得られる。
【００１４】
請求項３の発明によれば、接着剤受け片が感圧接着層を介して止着される構成であるから、前記内装ボードの背面あるいは前記軽量鉄骨下地のフレームの背面に対し、当該接着剤受け片の止着を極めて容易に行える。
【００１５】
請求項４の発明によれば、接着剤受け片の下部が接着剤盛付け側へ迫り出した形状であるから、この上に盛り付けた接着剤の垂れ落ちがより生じにくくなる。また、この場合に、請求項５の発明のように接着剤受け片の下部側の孔径が上部側の孔径よりも平均的に小さくなる構成とすれば、迫り出した形状で接着剤の重みが加わる下部側において、その孔部を通した接着剤の垂れ落ちがより生じにくくなると共に、前記内装ボードあるいは前記軽量鉄骨下地のフレームを建物躯体の内壁面に押し付けた際に、下部側での孔部を通した接着剤の裏側（反接着剤盛付け側）への移動過多が抑えられ、もって接着剤受け片全体に表裏の接着剤量配分が均等化し、上部側の接着剤不足による固着力低下が防止される。
【００１６】
請求項６に係る内装ボードの取付方法によれば、該内装ボードを接着剤を介して建物躯体の内壁面に固定する際、パテ状の該接着剤を内装ボードの背面側複数箇所に止着された多孔板状の接着剤受け片に盛り付け、この内装ボードの背面側を建物躯体の内壁面に押接することから、その盛り付け操作を極めて容易に効率よく行えると共に付着状態を均一に設定でき、盛り付けた接着剤の垂れ落ちが防止されるので、接着剤の無駄がなく補充の手間も要さない上、内装ボードを内壁面に押し付けた際に、接着剤受け片の孔部を通して接着剤が内装ボードの背面にも直接に被着するため、建物躯体の壁体と内装ボードとが硬化した接着剤層によって直接に接合され、且つ各接合部で強固に固着された状態となり、ボード全体に均一で大きな固定強度が得られる。しかして、この押し付けた内装ボードを直立状態に保持するのにスライド伸縮定規を用いるため、その保持操作と接着剤硬化後の保持具の除去を極めて簡単に行える。
【００１７】
請求項７に係る内装ボードの取付方法によれば、該内装ボードを軽量鉄骨下地を介して建物躯体の内壁面に取り付ける際、床部と天井部に軽量鉄骨下地用のランナーを固着し、軽量鉄骨下地のフレームの背面側複数箇所に止着された多孔板状の接着剤受け片にパテ状の盛り付け、このフレームを上下ランナー間に嵌装すると共に、該フレームの背面側を建物躯体の内壁面に押接することから、建物躯体に対する軽量鉄骨下地の取付施工が極めて容易になる上、前記フレームを内壁面に押し付けた際に、接着剤受け片の孔部を通して接着剤が当該フレームの背面にも直接に被着するから、建物躯体の内壁と当該フレームとが硬化した接着剤層によって直接に接合され、軽量鉄骨下地ひいてはこれに取り付けられる内装ボードとして均一で大きな固定強度が得られる。
【発明を実施するための最良の形態】
【００１８】
以下、本発明に係る内装ボードの取付構造及び取付方法の実施形態について、図面を参照して具体的に説明する。
【００１９】
図１（Ａ）（Ｂ）は、内装ボードの取付構造の第一実施形態を示す。図中、１は布張りや化粧紙張りの石膏ボード等よりなる縦長矩形の内装ボードであり、ほぼ建物躯体４の床部４２から天井部４３に至る高さを備えており、該建物躯体４の壁体４１の内面側に沿って並列状態に配設されている。そして、各内装ボード１は、その背面側に縦横一定間隔置きに止着した多数の接着剤受け片２…が止着されており、これら接着剤受け片２…に盛り付けた接着剤３…を介して、壁体４１のＲＣ、ＡＬＣ、モルタル、ブロック等よりなる内壁面４１ａに固着している。
【００２０】
図２（Ａ）（Ｂ）に示すように、各接着剤受け片２は、略正方形の多孔板状であり、全体の略２／３を占める上部２ａに対し、略１／３の下部２ｂが前方へ迫り出すように屈曲すると共に、この迫り出し側とは反対側である裏面側の上部には、厚地の両面粘着テープが貼着されて感圧接着層６を形成している。なお、図示を省略しているが、未使用状態では感圧接着層６の表面に剥離紙が貼着されている。しかして、この接着剤受け片２には、径が種々異なる多数の孔２１〜２６を設けているが、下部２ｂ側の孔径が上部２ａ側の孔径よりも平均的に小さく設定されている。
【００２１】
図示の場合、例えば接着剤受け片２の縦横寸法が６０ｍｍであるとき、最上段の感圧接着層６の両側位置に８．５ｍｍ径の孔２４が各１個、上から２段目では両側に１４ｍｍ径の孔２１が各１個と中央側に１２．５ｍｍ径の孔２２が２個、同３段目では両側に６ｍｍ径の孔２５が各１個と中央側に１０ｍｍ径の孔２３が３個、同４段目では１０ｍｍ径の孔２３が５個、同５段目では６ｍｍ径の孔２５が５個、最下段には５ｍｍ径の孔２６が４個、それぞれ略等間隔で横並びに配置している。そして、接着剤受け片２は、上から４段目の位置で、５個の孔２３…の径を通る横方向の折曲線で上部２ａと下部２ｂとにくの字状に折曲している。
【００２２】
内装ボード１の取付施工においては、まず図３（Ａ）に示すように、その背面１ｂ側の要所に、接着剤受け片２を感圧接着層６側が上になる状態で当該感圧接着層６の粘着力によって止着する。これにより、各接着剤受け片２は、上部２ａが内装ボード１の背面１ｂに略平行に沿う形で、該背面１ｂから浮き離れた状態になる。次に、図３（Ｂ）に示すように、各接着剤受け片２の前面側に、パテ状の接着剤３を塊状、好ましくは半球状に盛り付ける。なお、この盛り付け作業には、アイスクリームやポテトサラダ等を掬って皿や器に半球状に盛り付けるのに汎用されているディッパー（Ｄｉｐｐｅｒ）、もしくはそれに似た構造の適当な盛付け具を使用すれば、操作が極めて簡単になり、作業能率が上がる。しかして、その盛り付け量は、最大厚さが２０〜４０ｍｍになる程度が好ましい。
【００２３】
また、パテ状の接着剤３としては、塊状に付着可能な粘性及び保形性を有するものであればよく、従来のＧＬ工法で使われているのと同様なセメント系の接着剤（水練り状態）も使用可能であるが、所謂水性ボンドとして樹脂系や樹脂−セメント混合系のものも好適に使用できる。なお、特に好適な接着剤の市販品としては、日東ポリマー工業社製の商品名きんねだボンド（水性、アクリル系エマルジョン主体）がある。
【００２４】
接着剤受け片２上に盛り付けられたパテ状の接着剤３は、該接着剤受け片２が多孔板状であることによる係止（引っ掛かり）作用と、その下部２ｂが前方へ迫り出した形態であることによる受け止め作用により、垂れ落ちを生じにくく安定した付着状態となる。また、該接着剤３の一部は孔２１〜２６から裏側へはみ出すが、接着剤３の重みが加わる接着剤受け片２の下部２ｂ側では、その孔径が上部２ａ側の孔径よりも平均的に小さくなっているから、孔部の通り抜けによる垂れ落ちも生じにくくなっている。従って、接着剤３の付着状態を均一に設定できる上、垂れ落ちによる無駄がなく、補充の手間も省けるので高い作業能率が得られる。
【００２５】
かくして、各接着剤受け片２上に接着剤３を盛り付けた内装ボード１は、図３（Ｃ）に示すように、その背面側を建物躯体４の壁体４１の内壁面４１ａへ押し付けることにより、各接着剤受け片２上に盛り付けられていた接着剤３が該内壁面４１ａに被着すると共に、その押接力によって接着剤受け片２の孔２１〜２６を通って裏側へ回り、図示のように内装ボード１の背面にも被着するから、各接着剤受け片２の止着位置において壁体４１に対して接着剤３で直接に接着固定される。また、この場合、接着剤受け片２の下部２ｂ側の孔径が上部２ａ側の孔径よりも平均的に小さくなっているため、内装ボード１を壁体４１の内壁面４１ａへ押し付けた際、下部２ｂ側での孔部を通した接着剤３の裏側への移動過多が抑えられ、もって接着剤受け片２全体に表裏の接着剤量配分が均等化し、上部２ａ側の接着剤不足による固着力低下が防止される。従って、内装ボード１の全体に均一で大きな固定強度が得られる。
【００２６】
なお、この内装ボード１の取付施工では、接着剤３…が硬化するまでの間、該内装ボード１を内壁面４１ａに押し付けた垂直状態のままで保持する必要があるが、その保持用として図４（Ａ）（Ｂ）に示すようなスライド伸縮定規７を用いるのが便利である。
【００２７】
このスライド伸縮定規７は、共にアルミ押出型材からなる偏平角筒状の下側部材７ａと上側部材７ｂとからなる２段式であり、両部材７ａ，７ｂの互いに対向面の一側縁側に設けた長手方向に沿う断面Ｔ字形の突条部７１を、他側縁側に設けた長手方向に沿うガイド溝７２に挿嵌することにより、両部材７ａ，７ｂのスライドによって全長を自在に調整できると共に、下側部材７ｂに側方から螺挿した蝶ねじ８，８の先端を上側部材７ｂの側面に圧接することにより、任意長さに固定できる。
【００２８】
従って、内壁面４１ａに押し付けた垂直状態の内装ボード１の前面１ａにスライド伸縮定規７の側面を当てがい、その下端を床部４２に着けて上側部材７ｂを天井部４３に達するまで伸ばし、上下端で天井部４３と床部４２に突っ張った状態で両部材７ａ，７ｂを蝶ねじ８，８にて固定することにより、当該内装ボード１を接着剤３…が硬化するまで垂直状態に安定に保持できる。また、接着剤３…の硬化後には、スライド伸縮定規７を収縮させるだけで極めて簡単に除去できる。
【００２９】
図５（Ａ）（Ｂ）は、建物躯体４の梁部４４の下面４４ａ及び前面４４ｂに、それぞれ内装ボード１１，１２を取り付ける場合の施工例を示す。しかして、これら内装ボード１１，１２は、梁部４４の下面４４ａ及び前面４４ｂの寸法に対応した帯板状をなすが、その幅を下面４４ａの前後幅及び前面４４ｂの上下幅よりも若干大きく設定しておく。そして、既述の壁面用の内装ボード１と同様に、各々背面側の要所に接着剤受け片２…を止着し、その各接着剤受け片２上にパテ状の接着剤３を盛り付けた状態として用いる。
【００３０】
まず、梁下面用の内装ボード１１は、梁部４４の下面４４ａに背面側の各接着剤３が被着するように押し付け、この状態で壁側の後縁部を壁面用の内装ボード１の上端に支承させると共に、前縁部を立設した一対のスライド伸縮定規７，７の上端間に横架した角筒状の支持バー９で支承する。このとき、壁面用の内装ボード１の接着剤３…が未硬化であれば、図示のように、後縁部を該内装ボード１と一緒にスライド伸縮定規７…で支えるようにする。そして、梁４４の前面４４ｂよりも若干前方へ突出した該内装ボード１１の前縁部の上に、梁前面用の内装ボード１２を載せ、同様に該内装ボード１２を梁部４４の前面４４ｂに押し付けて背面側の各接着剤３を被着させる。なお、前縁部を支える各スライド伸縮定規７は、上側部材７ｂの上端に支持バー９を嵌合支持するための受け溝７３を備えている。
【００３１】
次に、本発明の第二実施形態として、内装ボードを軽量鉄骨下地を介して建物躯体の内壁面に取り付ける構造について、図６及び図７を参照して説明する。
【００３２】
図６（Ａ）は、建物躯体４のＲＣ、ＡＬＣ、モルタル、ブロック等よりなる壁体４１の内壁面４１ａに、軽量鉄骨下地５を固着した状態を示す。この軽量鉄骨下地５は、内壁面４１ａに臨む床部４２と天井部４３に各々固着したランナー５３，５４と、これら上下のランナー５３，５４間に所定間隔置きに交互に垂直状態に嵌装した広幅及び狭幅のフレーム５１…，５２…とで構成されている。図６（Ｂ）（Ｃ）はフレーム５１，５２のそれぞれの断面を示す。
【００３３】
しかして、フレーム５１，５２は、図７（Ａ）に示すように、その背面５１ｂ，５２ｂ側の上下方向一定間隔置きの複数箇所に、予め前記第一実施形態で用いたものと同様の多孔板状の接着剤受け片２…を感圧接着層６を介して止着し、各接着剤受け片２にパテ状の接着剤３を盛り付けた状態で、上下ランナー５３，５４間に嵌装すると共に、その背面５１ｂ，５２ｂ側を建物躯体４の内壁面４１ａに押接する。なお、ランナー５３，５４は、チャンネル状をなし、コンクリート釘５５…によって天井部４３と床部４２に固着されるが、フレーム５１，５２を撓ませて嵌め込み易いように、前側条片５３ａ，５４ａの上下幅が背側条片５３ｂ，５４ｂよりも小さく設定されている。
【００３４】
上記のようにフレーム５１，５２を建物躯体４の内壁面４１ａに押接することにより、各接着剤受け片２の接着剤３が該内壁面４１ａと孔部を通して自身の背面５１ｂ，５２ｂとに被着するから、建物躯体４の壁体４１とフレーム５１，５２とが接着剤３の硬化層によって直接に接合され、軽量鉄骨下地５が全体として内壁面４１ａに強固に固着した状態になる。従って、建物躯体４に対する軽量鉄骨下地５の取付施工が極めて容易になる上、図７（Ｂ）に示すように、この軽量鉄骨下地５の前面に内装ボード１をビス５６…等によって取り付けることにより、該内装ボード１は強固で安定した取付状態となる。
【００３５】
本発明においては、接着剤受け片の形状、孔部の配列パターン、孔径の分布、内装ボードに対する接着剤受け片の止着位置と止着密度、内装ボードの形状、スライド伸縮定規のスライド構造とスライド段数、軽量鉄骨下地のフレーム構造、ランナー及びフレームの断面形状等、細部構成については実施形態以外に種々設計変更可能である。
【図面の簡単な説明】
【００３６】
【図１】本発明の第一実施形態に係る内装ボードの取付構造を示し、（Ａ）は正面図、（Ｂ）は（Ａ）のイーイ線の断面図である。
【図２】同取付構造に用いる接着剤受け片を示し、（Ａ）は斜視図、（Ｂ）は側面図である。
【図３】同第一実施形態における内装ボードの取付操作を示し、（Ａ）は内装ボードに接着剤受け片を止着した状態の縦断側面図、（Ｂ）は止着した接着剤受け片にパテ状の接着剤を盛り付けた状態の縦断側面図、（Ｃ）は同内装ボードを建物躯体の内壁面に押し付けた状態の縦断側面図である。
【図４】同第一実施形態における接着剤硬化までの内装ボードの保持状態を示し、（Ａ）は縦断側面図、（Ｂ）は（Ａ）のローロ線の断面図である。
【図５】建物躯体の梁部に対する内装ボードの取付構造を示し、（Ａ）は縦断側面図、（Ｂ）は縦断正面図である。
【図６】本発明の第二実施形態に係る内装ボードの取付構造を示し、（Ａ）は建物躯体の内壁面に軽量鉄骨下地を固着した状態の斜視図、（Ｂ）及び（Ｃ）は同軽量鉄骨下地のフレームの断面図である。
【図７】同第二実施形態における内装ボードの取付操作を示し、（Ａ）は建物躯体の内壁面に軽量鉄骨下地を固着した段階の縦断側面図、（Ｂ）は該軽量鉄骨下地に内装ボードを取り付けた状態の縦断側面図である。
【符号の説明】
【００３７】
１              内装ボード
１ｂ            背面
２              接着剤受け片
２ａ            上部
２ｂ            下部
２１〜２６      孔
３              接着剤
４              建物躯体
４１            壁体
４１ａ          内壁面
４２            床部
４３            天井部
５              軽量鉄骨下地
５１，５２      フレーム
５１ｂ，５２ｂ  背面
５３，５４      ライナー
６              感圧接着層
７              スライド伸縮定規
【図１】
2007132012.tif 000003
【図２】
2007132012.tif 000004
【図３】
2007132012.tif 000005
【図４】
2007132012.tif 000006
【図５】
2007132012.tif 000007
【図６】
2007132012.tif 000008
【図７】
2007132012.tif 000009